(57)【要約】【課題】【目的】手で持つ面倒さをなくし、簡単に患部に送風させることで患部を乾燥させ、水虫治療薬と併用することで効果を上げることができる水虫治療のための補助器具を作ること。【解決手段】内部にモーターを回転させることにより連動して回転するファンを取りつけたボックスの吸風口と送風口に網状のメッシュを施し、吸風口から吸風し、足を乗せた上面から送風することにより、足部の水虫の患部を乾燥させることができる水虫治療のための補助器具となる。【選択図】　　図１
2004091457.tif 000002
【特許請求の範囲】
【請求項１】
電気等を電源としてモーター（６）の回転により連動して下面に対して前後に回転するフローファン（２）をボックス（１）内部に取りつけ、主に網状のメッシュを施した側面を吸風口（４）とし、同様にボックス（１）の上面にも網状のメッシュを施し送風口（５）とするとともに上面を足乗せ部（３）とすることで、乗せた足の下から送風され水虫の幹部を乾燥させることができる水虫治療のための補助器具。
【請求項２】
下面に対して水平に回転する羽根型ファン（７）を用い、網状のメッシュを施した吸風口（４）を主に下面に設けた請求項１のフローファン（２）以外のファンを用いた水虫治療のための補助器具。
【発明の詳細な説明】
【０００１】
【発明の属する技術分野】
本発明は、主に足部の水虫を治療するために、下面に対して前後に回転する請求項１のフローファンや下面に対して水平に回転する請求項２の羽根型ファンをボックス内部に取りつけ、ボックスの側面や下面の網状のメッシュを施した吸風口から吸風し、ボックスの上面の網状のメッシュを施した送風口に足底を乗せて送風口から送風される風により足部の水虫を乾燥させ水虫を治療することを促進させる水虫治療のための補助器具に関する。
【０００２】
【従来の技術】
従来、水虫を治療するためには、水虫治療薬を患部につけて治療するのであり、そうすることによって、皮膚の表面にある水虫は治療できるが、水虫は白癬菌と言われるカビの一種であるので、皮膚の下の皮下細胞にも潜って根を持っているため、水虫治療薬だけを使用して水虫を治療して完治させることが難しく、長時間に渡り靴下を履いたまま靴を履いたりして高温多湿が続くとまた水虫の増殖を招く結果となっていた。病院において、患部をレーザーで焼く方法だと高価であるため簡単に行えず、また、ドライヤーから送風される風を患部にあてることは効果があるが常にドライヤーを手に持って行わなければならず面倒であった。
【０００３】
【発明が解決しようとする課題】
従来、水虫を治療する方法として軟膏や液体の水虫治療薬を患部に塗ったり、患部につけたりしていたが、水虫治療薬だけでは皮膚の表面の水虫を治療したり、かゆみを和らげることはできても、水虫は白癬菌と呼ばれるカビの一種であるので皮下細胞に潜って根を持っていることがほとんとであり、人の皮膚や細胞や神経に大きな影響を与えずにこの水虫の根まで浸透させて治療し完治させることが水虫治療薬だけを使用したのでは難しく、一時的に改善しても、日常生活の中で、靴下を履いたまま靴を履いたりして長時間に渡り高温多湿状態を続けるとまた水虫の増殖がおこり、水虫の増殖と治療を繰り返しなかなか完治しなかったため、個人で簡単に行なえ、ドライヤーのように常に手で持っていなければならない面倒さのない水虫治療薬と併用して水虫を治療する水虫治療補助器具が求められていた。
【０００４】
【課題を解決するための手段】
本発明は、水虫治療薬をつけること以外で効果がある方法のひとつである乾燥させることにより効果を上げるものであり、上面と側面或いは下面に網状のメッシュを施したボックスを床面に置き、ボックス内部に電気や電池等を電源としモーターの回転により連動して下面に対して前後に回転するフローファンや下面に対して水平に回転する羽根型ファンを取りつけ上面に足底を接触させて足部を置くことにより、側面或いは下面から吸風され、上面から送風するときに足部にある患部に風があたり患部を乾燥させるもので、日常生活の中で風呂の中や歩いているとき以外、靴を脱げばどこでも使用でき、ドライヤーのように常に手で持っている労力もいらず、本発明を使用して患部を乾燥させることによりその後につける軟膏や液体の水虫治療薬の浸透力をアップさせることにも役立ち、水虫治療薬と併せて使用することで水虫の治療効果をあげることができる水虫治療のための補助器具となるのである。
【０００５】
【発明の実施の形態】
本発明は、ボックス内部に電気等を電源とするモーターの回転により連動し請求項１の下面に対して前後に回転するフローファンや請求項２の下面に対して水平に回転する羽根型ファンを取りつけ、ボックスの上面と側面或いは下面に網状のメッシュを施し、ボックスの上面に足底を接触させ足部を乗せて使用するのである。
【０００６】
ボックスの上面と側面或いは下面は格子状でも良いが、ボックス内部のファンが回転しているため、吸風と送風が自由に行なえ、足の指が入って怪我をしたり、ズボンの裾を巻きこんだり、筆記具等が中に落ちてファンが壊れたりすることがないよう網状のメッシュを施すと効果的である。
【０００７】
ボックス内部でファンを回転させ送風を行なうのであるが、請求項１の下面に対して前後に回転するフローファンの場合は、ボックスの下面に対して前後に回転するので側面に網状のメッシュを施しさえすれば吸風することができボックス自体をコンパクトにすることができるのである。
【０００８】
また、請求項２のボックスの下面に対して水平方向に回転させるタイプの羽根型ファンの場合は、ボックスの側面から吸風するより下側から吸風した方が効率が良いので、ボックスの高さを高くし、羽根型ファンの取りつけ位置より下方の側面に網状のメッシュを施し吸風口とするか、ボックスの下側と床面にスペースを設けてボックスの下面に網状のメッシュを施し吸風口とすると効果的である。
【０００９】
ボックスの内部でフローファンを下面に対して前後に回転させる請求項１の場合、側面から吸風し、上面から送風するので、周囲の側面すべてに網状のメッシュを施すと吸風した風を効率よく上面に送風できずに他の側面からも逃げてしまうので網状のメッシュを施す側面は、フローファンが前後に回転し効率的に吸風させるため回転する前方か後方の一面だけに設けると効果的である。また、請求項２の羽根型ファンの場合、羽根型ファンの取りつけ位置から下方にだけ網状のメッシュ面を設けると下方から吸風し上面に送風でき効果的である。
【００１０】
下面に対して前後に回転するフローファンの回転方向は網状のメッシュを施した側面から効率よく吸風し、網状のメッシュを施した上面から送風できるように回転させることが重要である。
【００１１】
ボックスの内部でフローファンや羽根型ファンを回転させ、吸風し、上面から送風したとき、使用者がイスに腰をかけて上面に足底を接触させずに使用することもできるが、足を浮かせて使用すると非常に疲れてしまうので、足底を上面に接触させた状態で足部を乗せて使用することが考えられ、足部を乗せて体重をかけても網状のメッシュがへこまない強度が必要である。
【００１２】
本発明を使用する状態として、イスやベッドに腰をかけてボックスの上面に足部を乗せたり、立ったままボックスの上に足部を乗せて使用することが考えられるので、上面の網状のメッシュがへこまない強度とボックス自体が壊れたり、つぶれたりしない強度が必要である。
【００１３】
本発明は、ボックス上面の足乗せ部に足底を接触させて使用することがほとんどで、使用者は、イスやベッドに腰をかけた状態か、立ったままボックスの上面に足を乗せて使用するのでボックスを大きくし両足をそろえて使用できるようにしても良いが、片足だけ乗せて使用できるようにすることにより、必要に応じて購入数を決められ、楽な姿勢に合わせて左右の足の位置を決めることができ便利である。
【００１４】
温風の方が患部を乾燥させる効果が大きいので、ボックス内部に電熱部を設けることにより、フローファンや羽根型ファンを回転させ吸風した空気を温風として上面から送風させることもできるのであり、ドライヤーのように温度の低い空気と温風にした空気を切り換えて送風できるようにすると寒暖の差によりさらに効果的であり、この場合、やけどしないような温風にするか、網状のメッシュを施したボックスの上面に足底を接触させずに離して乗せることができる足乗せ部を別途設けるようにすると効果的である。
【００１５】
フローファンや羽根型ファンを大きくすると送風が強くなって効果的だが、ファンを大きくするとボックス自体も大きくしなければならないので適度な大きさとし、スイッチでファンの回転数を変え送風の強さを変えることができるようにすると効果的である。
【００１６】
ボックス内部にフローファンや羽根型ファンを取りつけるときファンの向きは上面から送風できればどのような向きでも良いのである。
【００１７】
ボックス内部に設けるフローファンや羽根型ファンの数は、複数個設けても良いのである。
【００１８】
ボックス内部に設けるファンは、送風できればフローファンや羽根型ファン以外のファンでも良いのである。
【００１９】
フローファンや羽根型ファンを回転させるためのエネルギーとしては電気によりモーターを動かせてフローファンや羽根型ファンを回転させる以外に一次電池や充電式の二次電池で動かせるようにすると携帯用として便利である。
【００２０】
【実施例】
実施例について図面を参照して説明すると、請求項１の説明として図１において、ボックス（１）の内部に、電気等を電源とするモーター（６）を回転させることにより連動して下面に対して前後に回転するフローファン（２）を取りつけ、ボックス（１）の側面と上面に網状のメッシュを施し、側面を吸風口（４）とし、上面を送風口（５）とするとともに上面を足乗せ部（３）とする。
【００２１】
図２においては、ボックス（１）内部に取りつけたモーター（６）を回転させることにより回転がフローファン（２）に伝わり、連動してフローファン（２）が回転し、網状のメッシュを施した側面の吸風口（４）から吸風し、同じく網状のメッシュを施した上面の送風口（５）から送風する請求項１の内部の構造を示す平面図である。
【００２２】
図３では、請求項１の下面に対して前後に回転するフローファン（２）の斜視図である。
【００２３】
図４に示す請求項１の使用状態を示す図では、ボックス（１）を床に置き、電気の電源を入れモーター（６）を回転させることにより連動してフローファン（２）を回転させ、ボックス（１）の上面の足乗せ部（３）に足底を接触させて足部を乗せることにより、網状のメッシュを施した側面の吸風口（４）から吸風された空気は、網状のメッシュを施した上面の送風口（５）から送風され、上面に設けた足乗せ部（３）に乗せられた足の水虫を患っている患部に送風されることにより患部を乾燥させることができるのである。
【００２４】
図５では請求項２を示す図として、ボックス（１）の下部に脚部（８）を設けることにより、ボックス（１）を床面においたとき下面と床面の間にスペースができるようにしたボックス（１）内部に電気等を電源とするモーター（６）を回転させることにより連動して下面に対して水平に回転する羽根型ファン（７）を取り付け、羽根型ファン（７）より下方の下面に網状のメッシュを施し吸風口　（４）とし、上面を送風口（５）とするとともに上面を足乗せ部（３）とする。
【００２５】
図６においては、ボックス（１）内部に取りつけたモーター（６）を回転させることにより連動して羽根型ファン（９）が回転し、網状のメッシュを施した下面の吸風口（４）から吸風し、同じく網状のメッシュを施した上面の送風口（５）から送風する請求項２の内部の構造を示す平面図である。吸風口（４）を設ける面は、下面以外にボックス（１）内の羽根型ファン（９）の取りつけ位置より下方の側面に設けても良いのである。
【００２６】
請求項１のフローファン（２）の場合も、吸風口（４）とする面は、側面以外にボックス（１）下部に請求項２と同じように脚部（８）を設けることで下面に網状のメッシュを施し吸風口（４）とすることもできるのである。
【００２７】
本発明は、イスやベッドに腰をかけたまま床においたボックス（１）の足乗せ部（３）に足を乗せ使用したり、立ったままボックス（１）に乗って使用することもできるので、ボックス（１）を大きくし、両足を乗せて使用できるようにしても、２つのボックス（１）に片足ずつ乗せて使用できるようにしても良いのである。
【００２８】
本発明を使用するとき、イスやベッドに腰をかけて床においたボックス（１）の上面の足乗せ部（３）に足を乗せて使用したり、立ったままボックス　（１）の上面の足乗せ部（３）に乗って使用することもあるので、上面は体重をかけてもへこまない強度、ボックス（１）自体は、壊れたり、つぶれたりしない強度が必要である。
【００２９】
本発明は、足を乗せて水虫を治療するための補助器具として使用する以外に、上面に腰をおろして股部のたむしを治療するための補助器具としても使用できるのである。
【００３０】
ボックス（１）内部に電熱部を設け、ドライヤーのように温風を送風できるようにすることもできるのである。
【００３１】
ボックス（１）の形状は、足を上面に乗せても安定しており、足の水虫患部に送風することができれば楕円形でも円形でも長方形でもどのようなボックス（１）形状でも良いのである。
【００３２】
本発明は、簡単に足を乗せるだけで患部に送風されることにより患部を乾燥させ、水虫治療薬と併せて使用することで水虫の治療を促進させることを目的としており、デザインや意匠を述べているものではないのである。
【００３３】
【発明の効果】
本発明は、以上述べてきたような内容で実施され、以下に記載されるような効果を奏する。
【００３４】
本発明を使用することにより、手でドライヤーを持って水虫の患部に送風しなくても足を乗せるだけで簡単に患部に送風し、患部を乾燥させることができ、水虫治療薬と併せて水虫治療を促進させるために使用できるのである。
【００３５】
立ったままでも、イスやベッドに腰かけたままでも本発明に足を乗せるだけで水虫の患部に送風し患部を乾燥させることができるので、面倒くさがりの人でも、テレビや本を読みながら水虫治療薬と併せて使用することにより水虫治療を促進させることができるのである。
【００３６】
本発明は、ボックス状でコンパクトに製造することができるので、室内に置いておいてもじゃまにならず、携帯することもできるので、歩いたり、動いたり、風呂に入っているとき以外ほぼどこでも、いつでも簡単に使用でき便利である。
【００３７】
本発明は、一人で水虫治療薬と併せて水虫の治療の促進ができ便利である。
【００３８】
本発明は、靴下を履いていても靴さえ脱げば患部を乾燥させることができるのでオフィスで机にむかっていても使用でき便利である。
【００３９】
本発明は、水虫の患部に送風して乾燥させるので、乾燥していなくて、患部がむれている状態のときに比べて、液体の水虫治療薬をつけたときの浸透力が強くなるので、相乗効果により水虫治療の効果をアップさせることができ効果的である。
【００４０】
本発明に足を乗せるのではなく、腰かけることにより、送風して乾燥させることで治療を促進させることができる股部のたむし治療にも水虫治療と同様に効果があり便利である。
【図面の簡単な説明】
【図１】本発明の請求項１の斜視図である。
【図２】本発明の請求項１の内部の構造を示す平面図である。
【図３】本発明の請求項１のフローファン（２）の斜視図である。
【図４】本発明の請求項１の使用状態を示す図である。
【図５】本発明の請求項２の斜視図である。
【図６】本発明の請求項２の内部の構造を示す平面図である。
【符号の説明】
１　　ボックス
２　　フローファン
３　　足乗せ部
４　　吸風口
５　　送風口
６　　モーター
７　　羽根型ファン
８　　脚部
【図１】
2004091457.tif 000003
【図２】
2004091457.tif 000004
【図３】
2004091457.tif 000005
【図４】
2004091457.tif 000006
【図５】
2004091457.tif 000007
【図６】
2004091457.tif 000008